(57)【要約】【課題】簡単な構成で低消費電力化を図った無線ＬＡＮ用集積回路装置及びそれを用いた無線ＬＡＮシステムと携帯電話機を提供する。【解決手段】アンテナにて受信された高周波信号を高周波増幅回路で増幅し、周波数変換回路でダウンコンバートする。上記周波数変換回路の出力信号を可変利得増幅回路で増幅し、測定回路で受信強度を検出する。制御回路により、受信モード開始から上記測定回路を動作状態にして上記可変利得増幅回路の利得粗調データを形成するまでの第１期間に上記可変利得増幅回路の動作電流を遮断する。また、上記制御回路により、上記第１期間終了後の第２期間に上記可変利得増幅回路に動作電流を供給して上記利得粗調データによる利得設定を行い、かかる可変利得増幅回路の出力信号に基づいて生成された利得微調データにより利得設定を行い、上記測定回路の動作電流を遮断する。【選択図】図２
2007312187.tif 000002
【特許請求の範囲】
【請求項１】
アンテナにて受信された高周波信号を増幅する高周波増幅回路と、
上記高周波増幅回路で増幅された上記高周波信号をダウンコンバートする周波数変換回路と、
上記周波数変換回路の出力信号を増幅する可変利得増幅回路と、
上記周波数変換回路の出力信号の強度を検出する測定回路と、
上記可変利得増幅回路及び測定回路の動作の制御を行う制御回路とを備え、
上記制御回路は、
受信モード開始から上記測定回路を動作状態にして上記可変利得増幅回路の利得粗調データを形成するまでの第１期間に上記可変利得増幅回路の動作電流を遮断し、
上記第１期間終了後の第２期間に上記可変利得増幅回路に動作電流を供給して上記利得粗調データによる利得設定を行い、かかる可変利得増幅回路の出力信号に基づいて生成された利得微調データにより利得設定を行い、上記測定回路の動作電流を遮断する無線ＬＡＮ集積回路装置。
【請求項２】
請求項１において、
上記第１期間と第２期間は、上記制御回路により予め設定される無線ＬＡＮ集積回路装置。
【請求項３】
請求項１において、
上記第１期間と第２期間の切り替えは、上記測定回路による利得粗調データの生成タイミングで設定される無線ＬＡＮ集積回路装置。
【請求項４】
請求項２又は３において、
上記周波数変換回路は、Ｉ信号とＱ信号に対応した第１出力信号と第２出力信号を形成し、
上記可変利得増幅回路は、上記第１出力信号を受ける第１可変利得増幅回路と、上記第２出力信号を受ける第２可変利得増幅回路とであり、
上記測定回路は、上記第１出力信号と第２出力信号を受けて上記利得粗調データの元となるアナログ信号を形成する無線ＬＡＮ集積回路装置。
【請求項５】
請求項４において、
上記周波数変換回路に供給される周波数信号を形成する局部発振回路と、
送信用Ｉ信号、Ｑ信号及び上記局部発振回路で形成された周波数信号を受ける直交変調器と、
上記直交変調器の出力信号を増幅するプリアンプとを更に有する無線ＬＡＮ集積回路装置。
【請求項６】
アンテナにて受信された高周波信号を増幅する高周波増幅回路と、
上記高周波増幅回路で増幅された上記高周波信号をダウンコンバートする周波数変換回路と、
上記周波数変換回路の出力信号を増幅する可変利得増幅回路と、
上記周波数変換回路の出力信号の強度を検出する第１測定回路と、
上記可変利得増幅回路及び測定回路の動作の制御を行う第１制御回路とを備え、
上記第１制御回路は、
受信モード開始から上記第１測定回路を動作状態にして上記可変利得増幅回路の利得粗調データを形成するまでの第１期間に上記可変利得増幅回路の動作電流を遮断し、
上記第１期間終了後の第２期間に上記可変利得増幅回路に動作電流を供給して上記利得粗調データによる利得設定を行い、かかる可変利得増幅回路の出力信号に基づいて生成された利得微調データにより利得設定を行い、上記第１測定回路の動作電流を遮断する第１集積回路装置と、
上記第１測定回路の出力信号を受けてデジタル信号に変換する第１ＡＤＣと、
上記可変利得増幅回路の出力信号を受けてデジタル信号に変換する第２ＡＤＣと、
上記第２ＡＤＣの出力信号を受ける第２測定回路と、
上記第１ＡＤＣ及び上記第２測定回路の出力信号に対応した上記利得粗調データ及び上記利得微調データを上記第１制御回路に伝える第２制御回路と、
上記第２ＡＤＣの出力信号を受けて復調回路とを有する第２集積回路を有する無線ＬＡＮシステム。
【請求項７】
請求項６において、
上記周波数変換回路は、Ｉ信号とＱ信号に対応した第１出力信号と第２出力信号を形成し、
上記可変利得増幅回路は、上記第１出力信号を受ける第１可変利得増幅回路と、上記第２出力信号を受ける第２可変利得増幅回路とであり、
上記測定回路は、上記第１出力信号と第２出力信号を受けて上記利得粗調データの元となるアナログ信号を形成し、
上記第２ＡＤＣは、上記第１出力信号を受ける第３ＡＤＣと、上記第２出力信号を受ける第４ＡＤＣである無線ＬＡＮシステム。
【請求項８】
請求項７において、
上記第１集積回路装置は、
上記周波数変換回路に供給される周波数信号を形成する局部発振回路と、
アナログ信号からなる送信用Ｉ信号、Ｑ信号及び上記局部発振回路で形成された周波数信号を受ける直交変調器と、
上記直交変調器の出力信号を増幅するプリアンプとを更に有し、
上記第２集積回路装置は、
送信データを受けてデジタル信号からなる送信用Ｉ信号及びＱ信号を形成する変調回路と、
上記デジタル信号からなる送信用Ｉ信号及びＱ信号を受けて上記アナログ信号からなる送信用Ｉ信号、Ｑ信号を形成する第１ＤＡＣ及び第２ＡＤＣとを更に有する無線ＬＡＮシステム。
【請求項９】
請求項８において、
受信アンテナと、
受信アンテナ切り替えスイッチと、
送信アンテナと、
上記プリアンプの出力信号を受けて上記送信アンテナを駆動するパワーアンプを備えた無線ＬＡＮシステム。
【請求項１０】
アンテナにて受信された高周波信号を増幅する高周波増幅回路と、
上記高周波増幅回路で増幅された上記高周波信号をダウンコンバートする周波数変換回路と、
上記周波数変換回路の出力信号を増幅する可変利得増幅回路と、
上記周波数変換回路の出力信号の強度を検出する第１測定回路と、
上記可変利得増幅回路及び測定回路の動作の制御を行う第１制御回路とを備え、
上記第１制御回路は、
受信モード開始から上記第１測定回路を動作状態にして上記可変利得増幅回路の利得粗調データを形成するまでの第１期間に上記可変利得増幅回路の動作電流を遮断し、
上記第１期間終了後の第２期間に上記可変利得増幅回路に動作電流を供給して上記利得粗調データによる利得設定を行い、かかる可変利得増幅回路の出力信号に基づいて生成された利得微調データにより利得設定を行い、上記第１測定回路の動作電流を遮断する第１集積回路装置と、
上記第１測定回路の出力信号を受けてデジタル信号に変換する第１ＡＤＣと、
上記可変利得増幅回路の出力信号を受けてデジタル信号に変換する第２ＡＤＣと、
上記第２ＡＤＣの出力信号を受ける第２測定回路と、
上記第１ＡＤＣ及び上記第２測定回路の出力信号に対応した上記利得粗調データ及び上記利得微調データを上記第１制御回路に伝える第２制御回路と、
上記第２ＡＤＣの出力信号を受けて復調回路とを有する第２集積回路を有する無線ＬＡＭシステムと、
携帯電話システムとを有し、
上記無線ＬＡＮシステムと携帯電話システムを切り替えて使用する携帯電話機。
【発明の詳細な説明】
【技術分野】
【０００１】
この発明は、無線ＬＡＮ集積回路装置、無線ＬＡＮシステム及び携帯電話機に関し、例えば、ＩＥＥＥ８０２．１１ａに準拠したものに利用して有効な技術に関するものである。
【背景技術】
【０００２】
無線ＬＡＮに用いられるＲＦＩＣの例として、マキシム・インテグレーテッド・プロダクツ（Maxim Integrated Products)社から発行されているＭＡＸ２８２５／ＭＡＸ２８２６／ＭＡＸ２８２７データシートがある。このデータシート等にあるように、無線ＬＡＮ用ＲＦＩＣの主な動作モードはシャットダウン（Shutdown；全回路パワーダウン）、スタンバイ(Standby；シンセサイザのみ動作）、レシーブ（ Receive；シンセサイザ＋受信部動作）、トランスミット（Transmit；シンセサイザ＋送信部動作）の各モードが用意されている。送受信する必要がないことが明確な場合はシャットダウンモード、スタイバイモードにて低消費電力化を図るが、それ以外は基本的にレシーブモードにて動作させる。
【非特許文献１】Maxim Integrated Products, MAX2825/MAX2826/MAX2827データシート
【発明の開示】
【発明が解決しようとする課題】
【０００３】
本願発明者においては、無線ＬＡＮ用ＲＦＩＣでは、上記動作モードのうちレシーブモードにて動作する時間の割合が大きい。レシーブモードでの動作電流は上記データシート等にあるように約１００〜１５０ｍＡと大きい。このような無線ＬＡＮ用ＲＦＩＣを携帯電話機に搭載し、特定の施設内では無線ＬＡＮを使用して構内電話として使用し、かかる施設外で使用するときには通常の携帯電話として使用することを検討した。しかしながら、上記無線ＬＡＮ用ＲＦＩＣでは、上記のように消費電流が大きくて電池寿命を短くしてしまうという問題を有する。
【０００４】
この発明の目的は、簡単な構成で低消費電力化を図った無線ＬＡＮ用集積回路装置及びそれを用いた無線ＬＡＮシステムと携帯電話機を提供することにある。この発明の前記ならびにそのほかの目的と新規な特徴は、本明細書の記述および添付図面から明らかになるであろう。
【課題を解決するための手段】
【０００５】
本願において開示される発明のうち代表的なものの概要を簡単に説明すれば、下記の通りである。アンテナにて受信された高周波信号を高周波増幅回路で増幅し、周波数変換回路で上記高周波信号をダウンコンバートする。上記周波数変換回路の出力信号を可変利得増幅回路で増幅する。上記周波数変換回路の出力信号の強度を測定回路で検出する。上記可変利得増幅回路及び測定回路の動作の制御回路として、受信モード開始から上記測定回路を動作状態にして上記可変利得増幅回路の利得粗調データを形成するまでの第１期間に上記可変利得増幅回路の動作電流を遮断する。また、上記第１期間終了後の第２期間に上記可変利得増幅回路に動作電流を供給して上記利得粗調データによる利得設定を行い、かかる可変利得増幅回路の出力信号に基づいて生成された利得微調データにより利得設定を行い、上記測定回路の動作電流を遮断する。
【０００６】
本願において開示される発明のうち他の代表的なものの概要を簡単に説明すれば、下記の通りである。受信回路の送信回路を備えた無線ＬＡＮシステムにおいて、アンテナにて受信された高周波信号を増幅する可変利得増幅回路の出力信号を周波数変換回路によりダウンコンバートする。信号測定回路により上記ダウンコンバートされた信号から受信レベル強度検出信号を形成して上記可変利得増幅回路の利得制御信号を形成する。上記信号測定回路に用いられる差動増幅回路に、かかる差動増幅回路の差動出力信号を受けて、上記差動増幅回路のＤＣオフセットを小さくする補正電圧を形成するオフセット補正回路を設ける。
【発明の効果】
【０００７】
精度の高い受信レベルの測定が可能になる。受信レベルに対応した最適な信号増幅を行うことができる無線ＬＡＮシステムを実現できる。
【発明を実施するための最良の形態】
【０００８】
図１には、本発明に係る無線ＬＡＮシステムのＲＦ処理部（高周波ＩＣ）及びベースバンド処理部（ベースバンドＬＳＩ）の一実施例のブロック図が示されている。同図では、ＲＦ処理部２２とベースバンド処理部２３以外は省略されている。実際の無線ＬＡＮシステムでは、送信用パワーアンプ１３はインピーダンス整合回路や高調波を除去するフィルタなどとともにセラミック基板等の絶縁基板上にモジュール（パワーモジュール）として構成される。特に制限されないものの、高周波ＩＣ（２２）を形成する回路等はＳｉＧｅ等の一つの半導体基板上に形成され、ベースバンドＬＳＩ（２３）はシリコン等の一つの半導体基板上にＣＭＯＳを用いた回路で形成される。
【０００９】
上記構成により、ＲＦ処理部２２はアップコンバートやダウンコンバート動作を行う為の動作速度を容易に得ることができ、ベースバンド処理部２３は低消費電力での動作が可能となる。また、アンテナ切り替えスイッチ２とＲＦ処理部２２との間に、受信信号から不要波を除去するバンドパスフィルタが設けられる。アンテナ切り替えスイッチ２とバンドパスフィルタは、パワーモジュールとは別個の絶縁基板上にモジュール（フロントエンドモジュール）として構成される。そして、これらのモジュールと上記ＲＦ処理部（高周波ＩＣ）２２とベースバンド処理部（ベースバンドＬＳＩ）２３とが１つのプリント配線基板上に実装されて無線ＬＡＮシステムが構成される。
【００１０】
この実施例の無線ＬＡＮでの送受信動作は、次の通りである。受信信号は、受信アンテナ１ａ，１ｂより受信され、ＬＮＡ（ロウノイズアンプ）３で増幅され、周波数変換回路（直交復調器）４にてベースバント信号に変換される。その後ＬＰＦ／ＰＧＡ５ａ，５ｂにて妨害信号除去および目的の信号が適当なレベルになるように増幅され、Ｉ，Ｑ信号別々にベースバンド処理部２３に伝えられ、復調回路７にて復調される。送信信号は、変調回路８にてベースバンド信号が作られ、送信ベースバンドＬＰＦ１０ａ，１０ｂを通り、直交変調器１１により目的のＲＦ周波数まで周波数変換され、プリアンプ１２を通して上記送信用パワーアンプ１３で増幅され、送信アンテナ１４より送信される。上記ベースバンド処理部２３では、上記ＲＦ処理部２２からのアナログ信号をデジタル信号に変換するアナログ／デジタル変換回路（以下、単にＡＤＣという）６ａ，６ｂが設けられる。また、デジタル信号をアナログ信号に変換するデジタル／アナログ変換回路（以下、単にＤＡＣという）９ａ，９ｂが設けられる。
【００１１】
受信レベル調整動作は、次の通りである。受信側Ｉ、Ｑベースバンド信号のレベルを調整するための機構として、ＡＧＣ(Automatic Gain Contro1)が使用される。このための信号レベル測定に、第１測定回路１６、第２測定回路１９が使用される。第１測定回路（図１では測定回路１）１６は、上記周波数変換回路（直交復調器）４の出力３１，３２を第１測定回路１６にて、妨害信号を除去検波および信号レベル値の対数圧縮を行い出力する。第２測定回路（図１では測定回路２）１９は復調対象となるＩ、Ｑ信号が上記ＡＤＣ６ａ，６ｂでデジタル信号に変換されたものが入力され、レベルを線形のままで測定して上記制御回路２０に伝える。
【００１２】
上記第１測定回路１２の出力はＡＤＣ１７によりデジタル信号に変換され、平均ＬＰＦ１８を通して上記制御回路１４に送られる。これらの結果をもとに、ゲイン設定値データ４０を発生し、パワー＆ゲイン制御回路２１を介して、Ｉ，Ｑ信号レベルが目標レベルとなるようにＬＰＦ／ＰＧＡ５ａ，５ｂのゲインを制御する。パワー＆ゲイン制御回路２１では、上記制御回路２０から受け取ったゲイン設定値データ４０と同じく制御回路２０が発生した制御信号３７に従って、ＬＡＮ制御信号３８，４２及びＰＧＡゲイン設定値データ３９，制御信号４４に展開して、ＬＮＡ３とＬＰＦ／ＰＧＡ５ａ，５ｂにそれぞれ与え、ベースバンド処理部２３のＡＤＣ６ａ，６ｂへの入力レベルが最適となるようにゲイン調整を行う。また、パワー＆ゲイン制御回路２１は、制御信号４１、４２、４３及び４４により、局部発振器１５、ＬＡＮ３、直交復調器４及びＬＰＦ／ＰＧＡ５ａ，５ｂの動作モードに対応した動作制御も行う。
【００１３】
上記第１測定回路１６による調整はダイナミックレンジが広いが高精度化が難しく、第２測定回路１９による調整は高精度化が可能だがダイナミックレンジが取れない性質があるため、受信レベル調整は２段階に分けて行われる。まず、第１測定回路１６の出力信号をＡＤＣ１７によりデジタル信号に変換して制御回路２０に入力する。制御回路２０は第１測定回路１６の出力結果より、Ｉ，Ｑの信号レベルが目標レベルとなるようＲＦ信号処理部２２に与えるべき適切なゲイン設定値４０を算出し、それをゲイン設定値データとしてパワー＆ゲイン制御回路２１に与える。パワー＆ゲイン制御回路２１は、上記制御回路２０から受け取ったゲイン設定値データをＬＡＮゲイン設定値データ３８、ＰＧＡゲイン設定値データ３９に展開し、上記ＬＡＮ３、ＰＧＡ５ａ，５ｂに与える。（以下この処理を受信利得粗調整とする）
【００１４】
上記にてＬＡＮ３，ＰＧＡ５ａ，５ｂのゲインを一旦設定後、出力されるＩ，Ｑ信号レベルを第２測定回路１９で測定し、制御回路２０に入力する。制御回路２０は、測定回路出力結果より、最終的にＩ，Ｑの信号レベルが目標レベルとなるようなゲイン設定値を算出し、パワー＆ゲイン制御回路２１を介してＰＧＡ５ａ，５ｂに与える。（以下この処理を受信利得微調整とする）
【００１５】
上記パワー＆ゲイン制御回路２１によるパワー制御として、受信モード開始から上記第１測定回路１６を動作状態にして上記可変利得増幅回路としての上記ＬＰＦ／ＰＧＡ５ａ，５ｂの利得粗調データを形成するまでの第１期間に上記ＬＰＦ／ＰＧＡ５ａ，５ｂの動作電流を遮断する。また、上記第１期間終了後の第２期間に、上記ＬＰＦ／ＰＧＡ５ａ，５ｂに動作電流を供給して上記利得粗調データによる利得設定を行い、かかるＬＰＦ／ＰＧＡ５ａ，５ｂの出力信号３３，３４に基づいて上記第２測定回路１９で生成された利得微調データにより利得設定を行う。そして、この第２期間では上記第１測定回路１６の動作電流を遮断する動作が含まれる。また、上記パワー＆ゲイン制御回路２１により、ＲＦ処理部２２においては、前記のようにシャットダウン（Shutdown；全回路パワーダウン）、スタンバイ(Standby；シンセサイザのみ動作）、トランスミット（Transmit；シンセサイザ＋送信部動作）の各モードも実施される。
【００１６】
上記ＲＦ信号処理部２２は、主にシャットダウン（全回路パワーオフ),スタンバイ（局部発振器１５のみ動作),受信（局部発振器＋受信部動作),送信（局部発振器＋送信部動作）の４つの動作モードを持つ。そして、上記受信モードでは、上記のような第１期間と第２期間によるパワー制御動作が行われる。これら動作モードはベースバンド信号処理部２３の制御回路２０で決定し、動作モード制御信号４０でＲＦ信号処理部２２のパワー＆ゲイン制御回路２１に与える。パワー＆ゲイン制御回路２１は送られた動作モード制御信号を元に、制御信号４１〜４８にて各動作モードに必要なブロックのみ動作させる。たとえば受信動作モードではＲＦ信号処理部２２のうち局部発信器１５、ＬＡＮ３、直交復調器４、ＬＰＦ／ＰＧＡ５ａ，５ｂ、第１測定回路１６のみをオンさせる。（ここでオフとは電源電圧を印加したままで内部消費電流をほぼ０とすること、オンとは回路が通常動作することを意味する。）
【００１７】
この実施例では、ベースバンド信号処理部２３の制御回路２０にあらかじめ設定しておくことで、受信動作を時間軸上で上記のような第１期間と第２期間に分けられてキャリア感知＋受信利得粗調整と受信利得微調整＋復調の２段階の動作モードに分けて行うことが可能とされる。つまり、上記第１期間では局部発信器１５、ＬＡＮ３、直交復調器４、第１測定回路１６をオンさせ、ＬＰＦ／ＰＧＡ５ａ，５ｂをオフさせる。上記第２期間では局部発信器１５、ＬＡＮ３、直交復調器４、ＬＰＦ／ＰＧＡ５ａ，５ｂをオンさせ、第１測定回路１６はオフさせる。このため第１期間においてはＬＰＦ／ＰＧＡ５ａ，５ｂの動作電流分、第２期間では第１測定回路１６の動作電流分の消費電力削減が可能であり、前記のようなＲＦＩＣでの受信動作モードのみの制御に比べ１０〜２０％もの電力削減が見込める。
【００１８】
図２には、この発明に係る無線ＬＡＮシステムの動作の一例を説明するための動作タイミング図が示されている。同図は上記２段階の動作モードを持つ受信動作の時間軸上の流れを示したものである。まずベースバンド信号処理部２３の制御回路２０は、動作モード制御信号４０でＲＦ信号処理部２２を受信モードに設定する。ＲＦ信号処理部２２のパワー＆ゲイン制御回路２１は、上記受信モード設定を受けてＬＡＮ  ON/OFF／制御信号４２、直交復調器  ON/OFF／制御信号４３、測定回路１（第１測定回路） ON/OFF 制御信号４５をハイレベルに変化させ、局部発振器１５、ＬＡＮ３、直交復調器４、第１測定回路１６をオンさせる。
【００１９】
ベースバンド信号処理部２３の制御回路２０は、上記第１測定回路１６の出力から信号を検知すると、平均ＬＰＦ１８の処理、所定の遅延時間分待った後に信号の検出レベルを算出し、動作モード制御信号４０でＲＦ信号処理部２２にゲイン設定値データ（利得粗調データ）３７を出力する。ＲＦ信号処理部２２のパワー＆ゲイン制御回路２１は、これらを受けてＬＰＦ／ＰＧＡ  ON/OFF／制御信号４４をハイレベルに変化させ、測定回路１ ON/OFF 制御信号４５をロウレベルに変化させ、上記ＬＰＦ／ＰＧＡ５ａ，５ｂをオン、第１測定回路１６をオフさせた後、上記ＬＡＮ／ＰＧＡ５ａ，５ｂに上記利得粗調データ３７に対応してゲインを設定する。
【００２０】
上記にて、ベースバンド信号処理部２２にとってほぼ適切なレベルのＩ，Ｑ信号３３，３４が出力されるはずだが、第１測定回路１６およびＡＤＣ１７による測定誤差、ＰＧＡ５ａ，５ｂの利得誤差などから、真に適切なレベルからは開きが生ずる可能性がある。ここでのレベル設定のミス分は信号のＳ／Ｎに影響を及ぼすため、再度Ｉ，Ｑ信号を元に第２測定回路１９の出力から信号のレベルを算出し、ゲイン設定値データ（利得微調データ）３７を出力して、ＰＧＡ５ａ，５ｂにて利得の微調整を行う。この利得微調整後、受信データの復調を行う。
【００２１】
アンテナ端信号は、例えばＩＥＥＥ８０２．１１ａに準拠したパッケト構成の信号が入力される。図３には、上記ＩＥＥＥ８０２．１１ａに準拠したパケット構成の説明図が示されている。ｔ１からｔ７までが利得設定期間とされ、５．６μｓ以内に終えることが推奨されている。この時間内に前記第１期間での利得粗調と、第２期間での利得微調を終了させる。上記第１測定回路１６は、１つの受信パケットのうちｔ１〜ｔ５のような４．０μｓのような極く短い時間しか動作しないので大きな消費電流の削減が可能となる。特に制限されないが、後述するような携帯電話機に搭載した場合を考慮して、上記ゲイン設定値データ３７は、送信動作となった場合にも保持されて、再度の受信モードに用いることが可能とされる。
【００２２】
図４には、図１のＬＰＦ／ＰＧＡの一実施例のブロック図が示されている。ＬＰＦ／ＰＧＡ５ａ（５ｂも同様）は、ＬＰＦ（Low Pass Filter）１０１，１０３，１０５とＰＧＡ（Programmable Gain Amp）１０２，１０４，１０６が交互に連結されている。それぞれのＰＧＡ１０２，１０４，１０６に対しては、ＰＧＡゲイン設定データ３９によりゲイン制御がなされる。制御信号４４は、ＰＧＡの動作電流の供給／遮断を制御する。このようにＰＧＡは多段増幅回路で構成されているため、その動作電流を遮断することにより消費電流を低減させることができる。
【００２３】
図５には、図４のＬＰＦ／ＰＧＡに対応した各段の特性図が示されている。例えばＩＥＥＥ８０２．１１ａでは、目的信号に対して、隣接妨害信号は＋１６ｄＢ、非隣接妨害信号は＋３２ｄＢまで許容する必要がある。このため、目的信号を目標信号レベルまで増幅するにあたり、妨害信号による回路の飽和を防止することが必要となる。このため、必要なＬＰＦとＰＧＡの特性を例えば３段階に分割して、それを前記図４と同様にＬＰＦ１０１、ＰＧＡ１０２、ＬＦＰ１０３、ＰＧＡ１０４、ＬＦＰ１０５、ＰＧＡ１０６のように交互に配置される。
【００２４】
入力信号として目的信号、隣接妨害、非隣接妨害が混合した信号が入ってくる場合、まずＬＰＦ１０１により妨害信号をある程度除去した後、ＰＧＡ１０２により増幅する。次にＬＰＦ１０３を通し妨害信号をさらに除去してＰＧＡ１０４にてさらに増幅する。同様にＬＰＦ１０５による妨害信号除去とＰＧＡ１０６による増幅を行い目的信号が目標とする信号レベルになるようにする。このとき、各ＬＰＦ１０１，１０３，１０５の妨害遮断特性とＰＧＡ１０２，１０４，１０６のゲインを制御することにより、信号が通過する回路が飽和することなく目的信号の増幅が可能となる。
【００２５】
図１の第１測定回路１６は、図示しないけれどもローパスフィルタ（以下ＬＰＦという）に上記ダウンコンバートされた受信信号が入力される。このＬＰＦで受信信号中から隣接妨害信号や非隣接妨害信号が除去されて目的信号が取り出される。上記取り出された目的信号は、アンプ＆検波回路により増幅と検波とが行われる。アンプ＆検波回路は、例えば前段回路と後段回路に分けられる。上記各アンプ＆検波回路は、信号レベルが各アンプのダイナミックレンジ内にある場合は、ゲイン分の増幅をして後段アンプに信号を渡す。各アンプの出力が全波整流されＤＣ成分としてＶＩ変換される。各段のＶＩ変換出力は集積され、出力回路にて電圧に変換されて出力される。前記のようにアンプ＆検波回路は、例えば１０ｄＢアンプ４段ずつでブロック化されている。第１測定回路１６は、このように多段増幅回路で構成されるものであり、オン（動作状態）にすると各段増幅回路で消費電流が発生する。この実施例では、前記利得粗調データを生成するための単時間だけ上記動作状態にするので大幅な電流低減が可能となる。
【００２６】
上記アンプ＆検波回路は、例えば差動トランジスタと、差動トランジスタのコレクタに設けられた抵抗及び共通エミッタに設けられた電流源からなる差動アンプで構成される。この差動アンプは入力としてＩＮ（＋）、ＩＮ（−）、出力としてＯＵＴＮ、ＯＵＴＰがある完全差動アンプが用いられる。差動入力がＩＮ（＋）、ＩＮ（−）に入力されてそれに基づいて、抵抗Ｒとそれぞれの入力トランジスタに流れる電流比に基づいた出力電圧が出力ＯＵＴＮ、ＯＵＴＰから差動で得られる。
【００２７】
図６には、この発明に係る無線ＬＡＮシステムの動作の一例を説明するための動作タイミング図が示されている。この実施例は、前記図２の実施例と異なり、ベースバンド信号処理部２３の制御回路２０は、前記第１期間及び第２期間を設定せずに、LPF/PGA ON/OFF制御信号４４の変化（OFF→ON）、測定回路１ ON/OFF 制御信号４５の変化（ON→OFF ）は、ゲイン設定値データ３７の受信モード設定後の初回の書込み、つまりは利得粗調データの設定をトリガとしてＲＦ信号処理部２２のパワー＆ゲイン制御回路２１が行う。上記により、ベースバンド信号処理部２３の制御回路２０に特別な制御を要求せずに、前記図２の実施例と同等の電力削減効果を得ることができる。
【００２８】
図７には、この発明に係る携帯電話機の一実施例のブロック図が示されている。マイク（送話器）、スピーカ（受話器）に対応して音声インタフェースが設けられる。アンテナに対応して送信電波を出力し、受信電波を入力する高周波インタフェースが設けられる。信号処理（ベースバンド）を行うマイクロプロセッサ、ＤＳＰ（デジタル・シグナル・プロセッサ）及びＡＳＩＣ（論理回路）及びデータを記憶するメモリ回路が設けられる。メモリ回路は、スタティック型ＲＡＭや不揮発性メモリ（フラッシュメモリ）が用いられる。液晶コントローラ（ＬＳＩ）と液晶パネルが設けられて必要な表示動作が行われる。ダイヤル入力や文字入力のためのスイッチ（ボタンや動作モードの切り替えを行うスイッチ（ボタン）は、ベースバンド部に含まれる。
【００２９】
この実施例では、前記図１のＲＦ信号処理部２２を含むよう無線ＬＡＮが搭載される。この実施例の携帯電話機は、一定のエリアでの構内電話（内線電話）として使用するときには、無線ＬＡＮを用いて通話等が行われる。そして、外出時には高周波インタフェースを用いた一般の携帯電話機として用いる。この場合、無線ＬＡＮでの前記のようなパワー制御によって、電池寿命を長くすることができる。
【００３０】
以上本発明者によってなされた発明を、前記実施形態に基づき具体的に説明したが、本発明は、前記実施形態に限定されるものではなく、その要旨を逸脱しない範囲において種々変更可能である。例えば、第１測定回路に用いられる完全差動型増幅の具体的構成や、ＰＧＡの具体的構成は種々の実施形態を採ることができる。この発明は、無線ＬＡＮ集積回路装置、無線ＬＡＮシステム及び携帯電話機に広く利用することができる。
【図面の簡単な説明】
【００３１】
【図１】この発明に係る無線ＬＡＮシステムのＲＦ処理部及びベースバンド処理部の一実施例を示すブロック図である。
【図２】この発明に係る無線ＬＡＮシステムの動作の一例を説明するための動作タイミング図である。
【図３】この発明を説明するためのＩＥＥＥ８０２．１１a パケット構成を説明するためのタイミング図である。
【図４】図１のＬＰＦ／ＰＧＡの一実施例を示すブロック図である。
【図５】図４のＬＰＦ／ＰＧＡに対応した各段の特性図である。
【図６】この発明に係る無線ＬＡＮシステムの動作の他の一例を説明するための動作タイミング図である。
【図７】この発明に係る携帯電話機の一実施例を示すブロック図である。
【符号の説明】
【００３２】
１ａ，１ｂ…受信アンテナ、２…スイッチ、３…ＬＮＡ、４…周波数変換回路（直交復調器）、５ａ，５１ｂ…ＬＰＦ／ＰＧＡ、６ａ，６ｂ…ＡＤＣ、７…復調回路、８…変調回路、９ａ，９ｂ…ＤＡＣ、１１…直交変調器、１２…プリアンプ、１３…パワーアンプ、１４…アンテナ、１５…局部発振器、１６…第１測定回路（測定回路１）、１７…ＤＡＣ、１８…平均ＬＰＦ、１９…第２測定回路（測定回路２）、２０…制御回路、２１…パワー＆ゲイン制御回路、２２…ＲＦ処理部、２３…ベースバンド処理部
【図１】
2007312187.tif 000003
【図２】
2007312187.tif 000004
【図３】
2007312187.tif 000005
【図４】
2007312187.tif 000006
【図５】
2007312187.tif 000007
【図６】
2007312187.tif 000008
【図７】
2007312187.tif 000009